(57)【要約】【課題】装置コストを低減し施工も簡略化するようにしたスカム除去装置を提供すること。【解決手段】沈澱池や曝気槽などの処理池内に固定して設置されるトラフに可動型の堰止め手段が装備され、同堰止め手段の上下運動により水面に浮かぶスカムを呑み込んだり堰き止めたりするように構成されたスカム除去装置において、前記堰止め手段は、ゴムなどの弾性質からなる部材を有することを特徴とする。【選択図】　図２
2004141842.tif 000002
【特許請求の範囲】
【請求項１】
沈澱池や曝気槽などの処理池内に固定して設置されるトラフに可動型の堰止め手段が装備され、同堰止め手段の上下運動により水面に浮かぶスカムを呑み込んだり堰き止めたりするように構成されたスカム除去装置において、前記堰止め手段は、ゴムなどの弾性質からなる部材を有することを特徴とするスカム除去装置。
【発明の詳細な説明】
【０００１】
【産業上の利用分野】
この発明は、スカム除去装置に関する。
【０００２】
【従来の技術】
例えば、矩形沈澱池は、左右の側壁を備え、その対向する方向に直交する方向を長手方向として平面視矩形の池を形成している。そして、その長手方向一端面に整流孔を有する整流板を設置して沈澱を促進させるようにしてある。沈澱池の前記一端側の池底には汚泥ピットが凹設され、池底に溜まってくる汚泥を汚泥掻寄装置で掻き寄せてこのピット内に掻き落とすように構成してある。
一方、水面上にはスカムが浮上し浮遊してくるため、池水面を境にスカム除去装置を設置してこれらスカムを定期的に呑み込み除去するように構成してある。このスカム除去装置には種々のものがあるが、その１つとして、池幅方向に長手方向を向けた樋型のトラフを固定して横架し、同トラフの前側を低くしてそこに上下運動してスカムの呑み込みと堰止めとを定期的に行う堰止め手段を装備したタイプのものがある。
【０００３】
【発明が解決しようとする課題】
ところで、これまでの同スカム除去装置は、トラフの前側を支点にして上下に浮沈運動するＳＵＳ質の堰を備えていたため、これら作動のための構造が複雑化して装置コストが高くなるだけでなく、施工も大変であった。
【０００４】
この発明は前記課題を解決するためになされたもので、その目的とするところは、装置コストを低減し施工も簡略化するようにしたスカム除去装置を提供することにある。
【０００５】
【課題を解決するための手段】
この発明は前記課題を解決するためになされたもので、請求項１記載の発明は、沈澱池や曝気槽などの処理池内に固定して設置されるトラフに可動型の堰止め手段が装備され、同堰止め手段の上下運動により水面に浮かぶスカムを呑み込んだり堰き止めたりするように構成されたスカム除去装置において、前記堰止め手段は、ゴムなどの弾性質からなる部材を有することを特徴とする。
【０００６】
【発明の実施の形態】
以下、図示した実施形態を参照してこの発明を詳細に説明する。
図１および図２（図１のＩＩ−ＩＩ線に沿った断面図）は、この発明の一実施形態を示すもので、これらの図に示すように、処理池は矩形沈澱池１とされ、この沈澱池１は、左右の側壁２，２と、その対向する方向に直交する方向に対向する端壁（図示省略）とを備えて、上からみて一方向に長い矩形をした沈澱池になっている。
【０００７】
同沈澱池１内の側壁２の水面近くには、穴が開けられてその中を通じて四角筒状をした連通トラフ３が左右１対となるように挿通固定されるとともにその各両端は側壁２から突き出す形になっている。
【０００８】
同トラフ３は突き出した端部に連結のためのフランジ４を備えており、これらフランジ４にフランジ５を連結する形で長い樋型をしたトラフ６が両端固定状態で横架装備されている。尚フランジ４，５相互は図示しない止着具で連結されている。
【０００９】
トラフ６の後側は水面７を境に上下に伸びたもので、その一方前側は水面７より低いものになっている。この前側には水平な受板部８が一体に設けられている。この受板部８の上には、図２にその断面を示すような堰止め部材９が固定装備され、その上には流入ガイド１０が蓋状に設けられている。これら堰止め部材９と流入ガイド１０が、堰止め手段の要部を構成する。
【００１０】
堰止め部材９は、一定の厚みをしたゴム板をＵ形にそり曲げたものとして型成形されたもので、図１にその平面を示すように、やや閉じた開放状をした上下変位部分ａをトラフ長に対応して有し、その両端閉止部ｂを連通トラフ３前にあるようにしてＵ字形に開放したものとして有する。
【００１１】
上下変位部分ａは、図２のように、底部を平坦なものとし、その前後下部が変位しやすいように丸形とされるとともに、前後下部からは立ち上がり部分を有して上方に向けてやや窄まり状に形成されている。１１は上下変位部分ａを連結する複数枚の連結具である。同連結具１１は上下変位部分ａの長手方向に沿って適宜枚数配備されるとともに、その内面側には裏ナット１２が設けられている。
【００１２】
流入ガイド１０は、屋根形をしたものでＳＵＳなどの金属板（ＦＲＰも可能）からなり、同ガイド１０は、その上面をスカムが誘引されるものとして、図１のようにトラフ６の長手長と対応して堰止め部材９上に蓋設されて同部材９上部を締め付けるようにして前記連結具１１…に止着具１３により連結されている。
【００１３】
そして、同堰止め部材９は、その底部が受板部８に対して押さえ金具１４によりナット止めされている。一方、同堰止め部材９の両端閉止部ｂは、図１に示すように、Ｕ字形に開くようにしてその後側１片が連通トラフ３の前面に添ってやや立ち上がる格好で止め付けられて前方からの水の浸入を喰い止める一方、前側の他片は同じくやや立ち上がる格好で連通トラフ３からの止着具１５により固定されている。
【００１４】
１７は押し下げ材で、流入ガイド１０上に立設されている。１８はチェーンで、沈澱池１内で循環運動し、同チェーン１８にはフライト１９が定間隔で配備されるとともに、フライト１９のあるものには端部から側方に突出するようにしてローラーカム２０が設けられている。このローラーカム２０が水面７にきたときは、図示した受けカム２１が押し上げられる。このカム２１は、回転軸２２に支持されたカムアーム２３の先端に装備されている。一方、回転軸２２の後側には、左右１対の連動アーム２４が水平に伸び、これらアーム２４の後端は、前記押し下げ材１７に連結されている。
【００１５】
これらの構成に基づき、図２のようにローラーカム２０が受カム２１を押し上げると、押し下げ材１７は下げられ、流入ガイド１０も水面以下に押し下げられることで水面上のスカムが多少の水とともにトラフ６内に呑み込まれる。この際、堰止め部材９はゴムなどの弾性質であるので、下向きに一体変形する。また、この堰止め部材９内に入っている水は同一体変形により図１の仮想線のように外部に排除され装置前に巡ってくる。
【００１６】
図３以下は他の実施形態を示す。図３は、堰止め部材９の戻り力をより確実に発揮するためのもので、２６は調整ボルトで、ナット２７に螺入され、同ボルト２６には座板２８と下軸２９が設けられている。その一方、連結具１１には上軸３０が設けられ、下軸２９が摺動自在に入り組み合っている。そして、これらの外周にはバネ３１が設けられて前記戻り力を付勢するようになっている。このバネ力は、ボルト２６を回すことで調整される。
尚、堰止め部材９はその前半分をもって構成することがあり、こうした考えは他のいずれの実施形態でも同様に適用されるものである。また、３３は丸軸で、流入ガイド１０の前後に設けられて堰止め部材９が変形した際の損傷を防止するためのものである。この丸軸３３は他の実施形態にも適用がある。
また、流入ガイド１０の前面からは適宜にスリット３２ａを有する制御板３２が突設されている。
【００１７】
図４は、上からバネ力調整ができるようにしたもので、上下スリーブ３４を連結具１１に装備し、同スリーブ３４内に装備したバネ３５を調整軸３６の回転操作により強弱に調整できるようにしたものである。
【００１８】
図５も上からバネ力調整をするようにした他の例で、トラフ側からステー３８を突設し、同ステー３８の孔３９に流入ガイド１０から伸びた調整軸４０を挿通するとともに、ナット４１を回すことによりバネ４２の力を調整できるようにしてある。
【００１９】
図６は他の堰止め部材４４の例であり、やや四角な形をしたものになっている。尚、仮想線のように立ち上がる部分には変形を容易化するため凹み４５あるいは凸を設けてもよい。
【００２０】
図７の堰止め部材４７のように底部を変形しやすいように窄み状にしたり逆に膨らみ状にしてもよい。図８の例のように、上部がラップするように止め付けられて丸断面にした堰止め部材４９にしてもよい。さらに、図９のように丸くした上部間に板状の流入ガイド５１を挟んだ形の堰止め部材５２にしてもよい。この場合、サブフロート５３により水位に応じて上下する変位板５４を前側に装備して常時水深Ｈが一定化するようにしてもよく、おのものによえば、仮想線のように堰止め部材５２が膨らむことで変位板５４に堰止め部材５２に接触して下からの流入を阻止することになる。
【００２１】
図１０はトラフ５６の前上部に添って設けられた堰止め部材５７に流入ガイド５８を備えたもので、この堰止め部材５７の両端部５９を一体にそりあがるようにしたもので、両端部５９は、連通トラフ６０の前面に接触してそりあがるので、トラフ５６内へのスカムおよび水の浸入を阻止するものとなる。
【００２２】
図１１は、曝気槽６２の水面上に浮かぶようにしたスカム除去装置の平面矩形のトラフ６３上に添って前記のようなゴム製の堰止め部材６４を設置して駆動源６５により連動アーム６６を作動させて上下に弾性変位させてスカムの呑み込みと停止をさせるようにしたものである。図１２は、下端が開放側となるようにして丸く形成された堰止め部材６８で、その下端部がトラフ６９側に止め付けられている。仮想線のように後側に設けてもよい。図１３のように横向きになるようにトラフ６９に止め付けた堰止め部材７１にしてもよい。
【００２３】
【発明の効果】
この発明によれば、装置コストを低減し施工も簡略化するようにしたスカム除去装置を提供することができる。
【図面の簡単な説明】
【図１】この発明の一実施形態を示すスカム除去装置の平面図。
【図２】図１のＩＩ−ＩＩ線断面図。
【図３】他の実施形態を示す側断面図。
【図４】他の実施形態を示す側断面図。
【図５】他の実施形態を示す側断面図。
【図６】他の実施形態を示す側断面図。
【図７】他の実施形態を示す側断面図。
【図８】他の実施形態を示す側断面図。
【図９】他の実施形態を示す側断面図。
【図１０】他の実施形態を示す正面図。
【図１１】他の実施形態を示す平面図。
【図１２】他の実施形態を示す断面図。
【図１３】他の実施形態を示す断面図。
【符号の説明】
１…フライト　６…トラフ　７…水面　９…堰止め部材　１０…流入ガイド。
【図１】
2004141842.tif 000003
【図２】
2004141842.tif 000004
【図３】
2004141842.tif 000005
【図４】
2004141842.tif 000006
【図５】
2004141842.tif 000007
【図６】
2004141842.tif 000008
【図７】
2004141842.tif 000009
【図８】
2004141842.tif 000010
【図９】
2004141842.tif 000011
【図１０】
2004141842.tif 000012
【図１１】
2004141842.tif 000013
【図１２】
2004141842.tif 000014
【図１３】
2004141842.tif 000015